(57)【要約】【課題】  ボルトを斜めに入れても良好にボルトが雌ネジに螺合されて、器具の壁への固定作業が容易なものとなる壁裏補強板を提供する。【解決手段】  室内側からボルト２０で器具１１ａを壁３に固定する際に、壁３の裏側に貼設される壁裏補強板１４であって、この壁裏補強板１４には、ボルト２０が螺合される雌ネジ１６，１６が切られているとともに、壁裏に当接する側にクッション性のあるシート１７が貼り付けられている。【選択図】  図５
2006200155.tif 000002
【特許請求の範囲】
【請求項１】
室内側からボルトで器具を壁に固定する際に、壁裏に貼設される壁裏補強板であって、該壁裏補強板には、前記ボルトが螺合される雌ネジが切られているとともに、該壁裏補強板には、前記壁裏に当接する側にクッション性のあるシートが貼り付けられていることを特徴とする壁裏補強板。
【請求項２】
前記壁裏補強板は平板状に形成され、バーリング加工した孔内に前記雌ネジが切られていることを特徴とする請求項１に記載の壁裏補強板。
【発明の詳細な説明】
【技術分野】
【０００１】
本発明は、室内側からボルトで器具を壁に固定する際に、壁裏に貼設される壁裏補強板に関するものである。
【背景技術】
【０００２】
従来、特許文献１に開示されているように、室内側から握りバーを壁に固定する際に、壁裏に両面テープで固定金具を仮固定させておき、この固定金具に対しボルトを室内側から締め付けて、握りバーを壁に固定している。
【０００３】
また、図８に示すように、洗面器台８を支持するブラケット１１をボルト２０を用いて壁３に固定する際に、従来では、壁３の裏側に補強板５１を両面テープ５３で貼り付けており、この補強板５１には、遊びをもたせて別体のナット５２、５２が取り付けられており、このナット５２にボルト２０を締め付けできるように構成されている。
【特許文献１】特開２００１−３２４９２号公報
【発明の開示】
【発明が解決しようとする課題】
【０００４】
従来の特許文献１に開示されているような構成では、室内側からボルトを斜めに差し込んだような場合には、壁裏の固定金具のネジ孔に締め付けることが困難になるという問題点があった。
【０００５】
また、図８に示すような補強板５１では、別体のナット５２を組み付ける加工工数が増え、また、ナット５２を補強板５１にかしめる力が弱いと、ナット５２が抜け落ちる可能性もあった。
また、ナット５２を取り付けるために、補強板５１にはナット用の凹部等の凹凸部５１ａを形成させておく必要があり、そのため補強板５１の幅が広くなり、壁３の裏側への補強板５１の取り付けの自由度が少なくなってしまうという問題点があった。
【課題を解決するための手段】
【０００６】
本発明は上記従来の問題点に鑑み案出したものであって、ボルトを斜めに差し込んだ場合でも良好に締め付けることができ、また取り付けの自由度が増す壁裏補強板を提供するものであり、その請求項１は、室内側からボルトで器具を壁に固定する際に、壁裏に貼設される壁裏補強板であって、該壁裏補強板には、前記ボルトが螺合される雌ネジが切られているとともに、該壁裏補強板には、前記壁裏に当接する側にクッション性のあるシートが貼り付けられていることである。
【０００７】
また、請求項２は、前記壁裏補強板は平板状に形成され、バーリング加工した孔内に前記雌ネジが切られていることである。
【発明の効果】
【０００８】
本発明の壁裏に貼設される壁裏補強板には、ボルトが螺合される雌ネジが切られているとともに、壁裏に当接する側にクッション性のあるシートが貼り付けられていることにより、壁と壁裏補強板間には、クッション性のあるシートが介在されるため、ボルトを室内側から斜めに差し込んだ場合でも、締め込み時に追従し易いものとなり、良好にボルトが壁裏補強板の雌ネジに螺合されて、器具の取付作業を良好に行うことができるものとなる。また、壁裏補強板の壁裏への取り付けの自由度が増すこととなる。
【０００９】
また、壁裏補強板は平板状に形成され、バーリング加工した孔内に雌ネジが切られていることにより、壁裏補強板を薄い板で構成することができ、バーリング加工により有効ネジ部分を増大させて、良好にボルトを壁裏補強板に締め付けることができるものとなる。
【実施例】
【００１０】
以下、本発明の実施例を図面に基づいて説明する。
図１は、浴室内の斜視構成図であり、浴室１の洗い場２側の壁３には、鏡４と棚５と握りバー６が設けられており、その下方にはカウンター７が横設されて、更にその下方には、洗面器を置くことのできる洗面器台８が設けられている。
【００１１】
例えば洗面器台８は、図２に分解図で示すように、一対のブラケット１１，１１が壁３にボルトで固定されて、このブラケット１１，１１により、洗面器台８を構成する天板９と前板１０が支持されるものである。
ブラケット１１は、壁３に当接される垂直片１１ａの上端から室内側へ水平に延びる水平片１１ｂで構成され、垂直片１１ａには、上下方向に２個のボルト２０を通すボルト孔１２，１２が貫通形成されており、また水平片１１ｂには、天板９のボス部９ａ，９ａと整合する位置に、ネジを通すネジ孔１３，１３が貫通形成されている。このネジ孔１３，１３には、下方側からネジを通して、ネジをボス部９ａ，９ａにねじ込むことで、天板９がブラケット１１に固定されるものである。
【００１２】
なお、本例では、図３に斜視図で、また図４に縦断面図で示すような構造の壁裏補強板１４が壁３の裏側に貼設されて、室内側からボルトをこの壁裏補強板１４に締め付けて、ブラケット１１を固定できるように構成されている。
壁裏補強板１４は、薄い平板状の平板１５に、上下に２個雌ネジ１６，１６が形成されており、雌ネジ１６，１６間の平板１５の表側（壁３の裏側に当接する側）には、例えば厚みが２〜３ｍｍ程度のクッションシート１７が貼着されており、このクッションシート１７の前面には、両面テープ１８が配設されている。なお、クッションシート１７は、例えば発泡クッション材で構成されている。
【００１３】
図３，図４では、薄い平板１５に、裏側に向かって突出してバーリング加工部１５ａ，１５ａが形成され、このバーリング加工部１５ａ内に雌ネジ１６が切られて構成されている。
このような壁裏補強板１４は、両面テープ１８を剥がして、クッションシート１７を壁３の裏側に貼り付けて仮固定することができ、この時に、壁３に貫通形成されているボルト２０の通る壁孔３ａ，３ａに雌ネジ１６，１６を整合させて、壁裏補強板１４が壁３の裏側に仮固定されるものである。
【００１４】
なお、図５には、室内側からボルト２０を差し込んだ場合の要部拡大断面図を示しており、この図５では、壁裏補強板１４は、バーリング加工部１５ａの存在しない厚みの大なる平板１５で構成されている。
壁３にブラケット１１の垂直片１１ａを当接させ、ボルト孔１２と壁孔３ａを整合させて、室内側からボルト２０をボルト孔１２ａから壁孔３ａに通し、更に壁３の裏側に貼設されている壁裏補強板１４の雌ネジ１６にボルト２０を螺合させてゆくのであるが、この時に、ボルト２０を図５のように斜めに壁孔３ａ内に差し込んだ場合でも、クッションシート１７が伸縮することで、壁裏補強板１４が動き、ボルト２０の傾きに追従し易くなり、良好にボルト２０を雌ネジ１６に螺合させてゆくことができるものとなり、ボルト２０を室内側から締め付けた状態では、図６の断面図で示すように、クッションシート１７は０．２ｍｍ〜０．３ｍｍ程度に縮まり、壁裏補強板１４は、ほぼ壁３の裏側に当接状態となり、良好に補強効果を果たすことができ、強固にブラケット１１を壁３に固定させることができるものとなる。
【００１５】
本例の壁裏補強板１４では、従来のようなナットが不要であり、またナットを取り付けるための凹凸部分が不要であるため、平板状に横幅の狭いもので構成することができ、形状が簡単なものとなって、製造コストを低減させることができるものとなる。
【００１６】
なお、壁裏補強板１４を、図７に示すように、横断面コの字状に形成させて、強度を高めることができるものである。
図７の壁裏補強板１４では、クッションシート１７及び両面テープ１８を表面に取り付けた平板部１５の幅方向両端側から、裏側へ向かって脚部１５ｂ，１５ｂが一体形成されており、平板部１５に雌ネジ１６，１６が形成されたものである。
【００１７】
なお、本例では、洗面器台８を浴室の壁３に固定する場合を例示しているが、握りバー６やカウンター７や棚５を壁３に固定する際にも、同様に、図３または図７に示すようなクッションシート１７を備えた壁裏補強板１４を用い、ボルトを締め付けて固定することができるものであり、この際にも、ボルトを斜めに入れても良好にクッションシート１７が伸縮することで壁裏補強板１４が動き、ボルトの傾きに追従し易くなり、固定作業が容易に行えるものである。
【図面の簡単な説明】
【００１８】
【図１】浴室の室内側から見た斜視構成図である。
【図２】浴室内に取り付けられる洗面器台の室内側から見た分解斜視図である。
【図３】壁裏に貼設される壁裏補強板の斜視構成図である。
【図４】壁裏補強板の側面縦断面構成図である。
【図５】室内側からボルトを斜めに入れた時のクッションシートが伸縮した状態を示す要部縦断面拡大構成図である。
【図６】ボルトを壁裏補強板に締め付けて固定した状態の要部縦断面拡大構成図である。
【図７】壁裏補強板の変形例を示す斜視構成図である。
【図８】従来の補強板を用いて洗面器台のブラケットを壁に固定する状態の分解斜視構成図である。
【符号の説明】
【００１９】
１  浴室
３  壁
３ａ  壁孔
８  洗面器台
１１  ブラケット
１１ａ  垂直片
１２  ボルト孔
１４  壁裏補強板
１５  平板（平板部）
１５ａ  バーリング加工部
１５ｂ  脚部
１６  雌ネジ
１７  クッションシート
１８  両面テープ
【図１】
2006200155.tif 000003
【図２】
2006200155.tif 000004
【図３】
2006200155.tif 000005
【図４】
2006200155.tif 000006
【図５】
2006200155.tif 000007
【図６】
2006200155.tif 000008
【図７】
2006200155.tif 000009
【図８】
2006200155.tif 000010